(57)【要約】【課題】  日付印機能付スタンプ装置の提供。【解決手段】  回転日付調整装置を具えた本体、本体底部に嵌合されるフレーム、該フレームと嵌合される印框座、印框座底部に接着された印面で構成され、該印框座がフレームと嵌合し、嵌合面に係止縁が設けられ、印框座の周囲に係止口が設けられ、その底部に印面が固定される結合面が設けられ、本体に組み付けられる印字輪体が印框座底部の貫通孔より突出し並びに印面上の文字と平らに揃えられている。該印框座を交換することで、印面規格を改変でき、別に全体のスタンプを購入する必要がなく、日付印機能付で且つ全体が組立に便利でコストを節約できる日付印機能付スタンプ装置とされる。【選択図】        図１
0003111682.tif 000002
【実用新案登録請求の範囲】
【請求項１】
本体、フレーム、印框座及び印面を具え、該本体の上方に握持用のハンドルが結合され、該本体の貫通溝中に日付を具えた複数の印字輪体が組み付けられ、並びに該回転盤により回転調整され、本体の貫通溝と異なる二側にピンが通される長形穿孔が設けられ、該本体の下向きの押圧により本体の印字輪体と底部の印面により書類に捺印できる日付印機能付スタンプ装置において、
該フレームは、嵌合面を具えた框体とされ、その底部中央に貫通孔が設けられ、本体と印框座間を連結するのに供され、
該印框座は、嵌合面を具えた蓋体状框体とされ、該印框座の底部に貫通口を具えた結合面が設けられて中空のゴム印面が粘着され、
該フレームがその嵌合面により本体底部と嵌合され、印框座が該フレームの底部に嵌合され、貫通孔と貫通口が相互に重畳し、異なる形式の印面に交換する時は、該ハンドルを握持し、印框座に施力すれば印框座とフレームを分離させられ、組立に便利であることを特徴とする、日付印機能付スタンプ装置。
【請求項２】
請求項１記載の日付印機能付スタンプ装置において、印框座のフレームとの嵌合面に係止縁が設けられたことを特徴とする、日付印機能付スタンプ装置。
【請求項３】
請求項１記載の日付印機能付スタンプ装置において、印框座が嵌合面を具えたＵ形蓋状框体とされ、その嵌合面の周縁に係止口が凹設されて着脱容易な機能を達成したことを特徴とする、日付印機能付スタンプ装置。
【請求項４】
請求項３記載の日付印機能付スタンプ装置において、印框座の底部に結合面が設けられ、該結合面が幾何形状とされて印面の接着に供されることを特徴とする、日付印機能付スタンプ装置。
【請求項５】
請求項１記載の日付印機能付スタンプ装置において、印面が印框座底部の結合面と対応する幾何形状とされ、該結合面に接着されたことを特徴とする、日付印機能付スタンプ装置。
【請求項６】
請求項５記載の日付印機能付スタンプ装置において、印面の幾何形状が円形或いは方形或いは楕円形等の異なる形状変化の印面規格とされうることを特徴とする、日付印機能付スタンプ装置。
【考案の詳細な説明】
【技術分野】
【０００１】
本考案は一種の日付印機能付スタンプ装置に係り、特に組立に便利で簡単に印框座を交換して印面規格を改変でき、全体の構造が極めて実用的で購入コストを減らし、在庫容量を減らすことのできる日付印機能付スタンプ装置に関する。
【背景技術】
【０００２】
書類の送受或いはその他の職業レベルでの註記の標示のため、一般には日付印機能付スタンプ装置が使用され、証明或いは確認の機能を達成する。現在よく見られる日付印機能付スタンプ装置の形態は非常に多い。例えば、図７、８に示されるものは、本体５０と印框座６０が組み合わされてなる。該本体５０の上方に握持用のハンドル５１が螺合され、且つ本体５０にあって複数の印字輪体５２が本体の貫通溝５３に枢設され、並びに回転盤５４の回転により調整され、且つ本体５０の貫通溝５３と異なる二側に対応する長形穿孔５５が設けられている。該印框座６０は框蓋状を呈し、本体５０の貫通溝５３に対応する部分に前後に対応する切欠き６１が設けられ、且つ本体５０の長形穿孔５５に対応する部分に結合穿孔６２が設けられ、別に印框座の底面に結合面６３が設けられて文字標示の中空ゴム印面７０が接合されるか、或いは印框座６０の底部の本体の印字輪体５２に対応する中央部分に、貫通孔６４が形成され、印框座６０が下から上に嵌合され、更にピン６５が印框座６０と本体５０の穿孔６２、５５に通されて、該印框座６０が本体５０底部に組み付けられ、並びに印字輪体５２が貫通孔６４より突出して、印面７０の文字と平らに揃い、該回転盤５４で日付付きの印字輪体５２を係止し、更に印框座６０が該穿孔５５中で移動、位置決めされることで、インクを付けた印面７０と印字輪体５２が紙或いは書類に捺印される。以上により日付印機能付スタンプ装置が形成されている。
【考案の開示】
【考案が解決しようとする課題】
【０００３】
周知の日付印機能付スタンプ装置のゴム印面は印框座底部の結合面に接着され、且つ印框座はピンで本体に結合され、該印面は印框座の結合面の幾何形状に合わせて接着され、且つ接着後には交換不能であり、各幾何形状はまたサイズにより区分され、ゆえに使用者が同一サイズで異なる印面規格或いは異なる文字標示が必要である時には、一般に別の日付印機能付スタンプ装置を購入しなければならず、購入コストと在庫容量が増す。ゆえに改良の必要がある。
【課題を解決するための手段】
【０００４】
請求項１の考案は、本体、フレーム、印框座及び印面を具え、該本体の上方に握持用のハンドルが結合され、該本体の貫通溝中に日付を具えた複数の印字輪体が組み付けられ、並びに該回転盤により回転調整され、本体の貫通溝と異なる二側にピンが通される長形穿孔が設けられ、該本体の下向きの押圧により本体の印字輪体と底部の印面により書類に捺印できる日付印機能付スタンプ装置において、
該フレームは、嵌合面を具えた框体とされ、その底部中央に貫通孔が設けられ、本体と印框座間を連結するのに供され、
該印框座は、嵌合面を具えた蓋体状框体とされ、該印框座の底部に貫通口を具えた結合面が設けられて中空のゴム印面が粘着され、
該フレームがその嵌合面により本体底部と嵌合され、印框座が該フレームの底部に嵌合され、貫通孔と貫通口が相互に重畳し、異なる形式の印面に交換する時は、該ハンドルを握持し、印框座に施力すれば印框座とフレームを分離させられ、組立に便利であることを特徴とする、日付印機能付スタンプ装置としている。
請求項２の考案は、請求項１記載の日付印機能付スタンプ装置において、印框座のフレームとの嵌合面に係止縁が設けられたことを特徴とする、日付印機能付スタンプ装置としている。
請求項３の考案は、請求項１記載の日付印機能付スタンプ装置において、印框座が嵌合面を具えたＵ形蓋状框体とされ、その嵌合面の周縁に係止口が凹設されて着脱容易な機能を達成したことを特徴とする、日付印機能付スタンプ装置としている。
請求項４の考案は、請求項３記載の日付印機能付スタンプ装置において、印框座の底部に結合面が設けられ、該結合面が幾何形状とされて印面の接着に供されることを特徴とする、日付印機能付スタンプ装置としている。
請求項５の考案は、請求項１記載の日付印機能付スタンプ装置において、印面が印框座底部の結合面と対応する幾何形状とされ、該結合面に接着されたことを特徴とする、日付印機能付スタンプ装置としている。
請求項６の考案は、請求項５記載の日付印機能付スタンプ装置において、印面の幾何形状が円形或いは方形或いは楕円形等の異なる形状変化の印面規格とされうることを特徴とする、日付印機能付スタンプ装置としている。
【考案の効果】
【０００５】
本考案は従来の技術と比較して以下のような機能を達成している。
１．印面規格変化機能を具えている。即ち、本考案の印框座は同一サイズで必要に応じてフレームと相互に嵌合され、ゆえに各種幾何形状の印面に適用可能であり印框座の交換により印面規格変化の機能を達成する。
２．組立に便利である。即ち、本考案の印框座はフレームと嵌合され、ゆえに印框座が簡単にフレーム底部に嵌合並びに係止、位置決めされ、且つ僅かな施力により印框座を取り外すことができ、確実に組立に便利な機能を達成する。
３．コストダウンできる。即ち、本考案の印框座の印面規格変化可能な設計により、同一サイズの印框座に各種の異なる印面を組み合わせることができ、別に日付印機能付スタンプ装置全体を購入するか或いは在庫容量を増加する必要がなく、ゆえにコストダウンの機能を達成する。
【考案を実施するための最良の形態】
【０００６】
本考案は印框座を交換できる構造を提供し、即ち印面規格変化機能を具えた日付印機能付スタンプ装置を提供する。そのうち、該印框座はフレームと嵌合され、且つ嵌合の対応面に係止縁が設けられ、並びに印框座の周縁に係止口が凹設され、印框座の底部に印面と固定される結合面が設けられ、本体に組み付けられた印字輪体が印框座底部の貫通孔より突出し、並びに印面上の文字と平らに揃い、これにより日付印機能付スタンプ標示が行なえ、且つ全体として組立に便利でコストを節約できる日付印機能付スタンプ装置が形成される。
【実施例１】
【０００７】
図１から図３に示されるように、本考案の日付印機能付スタンプ装置は、本体１０、フレーム２０、印框座３０及び印面４０で構成されている。そのうち、本体１０の上方には握持用のハンドル１１が結合され、本体１０に日付を具えた複数の印字輪体１２が組み合わされ、それは本体１０の貫通溝１３中に枢設され、並びに回転盤１４により回転調整される。且つ本体１０の貫通溝１３と異なる二側に相互に対応する長形穿孔１５が設けられている。該印框座３０は本体１０の底部に連結され、且つその底部に文字標示を具えた中空ゴム印面４０が接着され、印字輪体１２が本体１０の底部より突出し、並びに該印面４０の文字と平らに揃い、これにより日付印機能付スタンプ標示を形成する日付印機能付スタンプ装置とされている。以下に本考案の主要な改良部分を説明する。
【０００８】
該フレーム２０は、嵌合面２１を具えたＵ形框体とされ、その底部にあって本体１０の印字輪体１２に対応する部分に、貫通口２２が設けられ、且つ本体１０の二側の穿孔１５に対応する嵌合面２１に穿孔２３が設けられ、別に穿孔２３より下の嵌合面２１の底部に嵌合溝２４が設けられている。
【０００９】
該印框座３０は、嵌合面３１を具えたＵ形蓋状框体とされ、該嵌合面３１の周縁に係止口３２が設けられ、且つフレーム２０の嵌合溝２４に対応する印框座３０の内側面に係止縁３３が設けられ、並びに印框座３０の底部に貫通口３４を具えた結合面３５が設けられ、中空の対応するゴム印面４０が接着される。
【００１０】
以上の部品で構成され、フレーム２０が下から上に本体１０底部に嵌合され、ピン２５が穿孔２３、１５に通されてフレーム２０が本体１０底部に枢設、位置決めされ、更に印框座３０がフレーム２０の底部に嵌合され、嵌合面３１の係止縁３３と嵌合面２１の嵌合溝２４が相互に係合し、これにより印框座３０がフレーム２０底部に取り付けられ、且つ貫通口３４、２２が重畳する。交換したい時は、日付印機能付スタンプ装置のハンドル１１を握持し、もう一方の手指で印框座３０の嵌合面３１の係止口３２部分に僅かに施力すれば、印框座３０の係止縁３３とフレーム２０の嵌合溝２４を分離させて印框座３０を取り外すことができ、これにより組立に便利な日付印機能付スタンプ装置が提供されている。
【００１１】
また図４から図６には、本考案の印框座の応用実施例が示され、そのうち、印框座３０の底部の結合面３５は同一の本体１０サイズ下で、例えば円形、方形、楕円形等、形式の異なる幾何形状印面４０に合わせて形成され、印面４０を具えた印框座３０を交換すれば続けて使用でき、新たに日付印機能付スタンプ装置を購入する必要はなく、ゆえに購入コストと在庫容量の支出を減らすことができ、極めて実用的でコストパフォーマンスに優れている。
【００１２】
総合すると、本考案の日付印機能付スタンプ装置は、組立に便利で簡単に印框座を交換でき、印面規格変更の機能を達成し、全体として購入コストと在庫容量を減らすことができ、産業上の利用性を有し、またその構造は未公開であり、新規性を有している。
【００１３】
以上の実施例は本考案の範囲を限定するものではなく、以上の説明及び図面の記載に基づきなしうる細部の修飾或いは改変は、いずれも本考案の請求範囲に属するものとする。
【図面の簡単な説明】
【００１４】
【図１】本考案の立体組合せ図である。
【図２】本考案の立体分解図である。
【図３】本考案の局部断面図である。
【図４】本考案の印框座の応用実施例図である。
【図５】本考案の印框座の応用実施例図である。
【図６】本考案の印框座の応用実施例図である。
【図７】周知の技術の立体分解図である。
【図８】周知の技術の局部断面図である。
【符号の説明】
【００１５】
１０  本体            １１  ハンドル
１２  印字輪体        １３  貫通溝
１４  回転盤          １５  穿孔
２０  フレーム        ２１  嵌合面
２２  貫通口          ２３  穿孔
２４  嵌合溝          ２５  ピン
３０  印框座          ３１  嵌合面
３２  係止口          ３３  係止縁
３４  貫通口          ３５  結合面
４０  印面
５０  本体
５２  印字輪体        ５３  貫通溝
５４  回転盤          ５５  穿孔
６０  印框座          ６１  切欠き
６２  穿孔            ６３  結合面
６４  貫通孔          ６５  ピン
７０  印面
【図１】
0003111682.tif 000003
【図２】
0003111682.tif 000004
【図３】
0003111682.tif 000005
【図４】
0003111682.tif 000006
【図５】
0003111682.tif 000007
【図６】
0003111682.tif 000008
【図７】
0003111682.tif 000009
【図８】
0003111682.tif 000010